【手続補正書】
【提出日】平成23年6月28日(2011.6.28)
【手続補正１】
【補正対象書類名】特許請求の範囲
【補正対象項目名】全文
【補正方法】変更
【補正の内容】
【特許請求の範囲】
【請求項１】
印刷データを生成する画像処理装置と、該画像処理装置とネットワークを介して接続され、前記印刷データからベクトルデータを生成してスプールすることが可能な画像形成装置とを備える画像形成システムであって、
前記画像処理装置は、
前記画像処理装置において解像度依存の処理を行う際に用いる第１の解像度を取得する取得手段と、
前記印刷データを生成する際に、解像度依存の処理が必要な場合に、前記取得された第１の解像度に基づいて解像度依存の処理を行う第１の処理手段と、
前記取得された第１の解像度に関する解像度情報を前記印刷データに含める手段と、
前記解像度情報が含められた印刷データを前記画像形成装置に送信する送信手段とを有し、
前記画像形成装置は、
前記送信手段から送信された印刷データを受信する受信手段と、
前記印刷データに含められた解像度情報を解析して、前記画像形成装置にて解像度依存の処理を行う際の第２の解像度を決定する決定手段と、
前記ベクトルデータを生成する際に、解像度依存の処理が必要な場合に、前記決定された第２の解像度に基づいて解像度依存の処理を行う第２の処理手段と
を有することを特徴とする画像形成システム。
【請求項２】
印刷データを生成する画像処理装置とネットワークを介して接続され、前記印刷データからベクトルデータを生成してスプールすることが可能な画像形成装置であって、
前記画像処理装置から、該画像処理装置で解像度依存の処理を行った際の解像度情報を含む前記印刷データを受信する受信手段と、
前記印刷データに含められた解像度情報を解析して、前記画像形成装置にて解像度依存の処理を行う際の処理解像度を決定する決定手段と、
前記ベクトルデータを生成する際に、解像度依存の処理が必要な場合に、前記決定手段で決定された処理解像度に基づいて解像度依存の処理を行う処理手段と
を備えることを特徴とする画像形成装置。
【請求項３】
前記画像形成装置は、ベクトルデータを出力可能な複数の他の画像形成装置と前記ネットワークを介して接続されており、
前記決定手段は、前記他の画像形成装置の出力解像度のうち最大の解像度を前記処理解像度に決定することを特徴とする請求項２に記載の画像形成装置。
【請求項４】
ユーザが解像度を入力するための入力手段をさらに備え、
前記決定手段は、前記入力手段で入力された解像度を前記処理解像度に決定することを特徴とする請求項２に記載の画像形成装置。
【請求項５】
前記入力手段は、前記画像形成装置の出力解像度以上の解像度を入力可能であることを特徴とする請求項４に記載の画像形成装置。
【請求項６】
前記画像形成装置は、ベクトルデータを出力可能な他の画像形成装置と前記ネットワークを介して接続されており、
前記入力手段は、入力可能な解像度を、前記他の画像形成装置の出力解像度のうち最大の解像度に制限することを特徴とする請求項５に記載の画像形成装置。
【請求項７】
前記決定手段は、前記ベクトルデータをスプールしない場合、前記処理解像度を前記画像形成装置の出力解像度とすることを特徴とする請求項２乃至６のいずれかに記載の画像形成装置。
【請求項８】
前記処理解像度を前記ベクトルデータと関連付けて保存する保存手段と、
前記ベクトルデータと、該ベクトルデータに関連付けられた処理解像度とを表示する表示手段と
をさらに備えることを特徴とする請求項２乃至７のいずれかに記載の画像形成装置。
【請求項９】
印刷データからベクトルデータを生成してスプールすることが可能な画像形成装置に接続され、前記印刷データを生成する画像処理装置であって、
前記画像処理装置において解像度依存の処理を行う際に用いる解像度を取得する取得手段と、
前記印刷データを生成する際に、解像度依存の処理が必要な場合に、前記取得された解像度に基づいて解像度依存の処理を行う処理手段と、
前記取得されたデータ処理解像度に関する解像度情報を前記印刷データに含める手段と、
前記解像度情報が含められた印刷データを前記画像形成装置に送信する送信手段と
を備えることを特徴とする画像処理装置。
【請求項１０】
ユーザが解像度を入力するための入力手段をさらに備え、
前記取得手段は、前記入力手段で入力された解像度を前記解像度とすることを特徴とする請求項９に記載の画像処理装置。
【請求項１１】
前記画像処理装置は、ベクトルデータを出力可能な複数の他の画像形成装置とネットワークを介して接続されており、
前記入力手段は、入力可能な解像度を、前記他の画像形成装置の出力解像度のうち最大の解像度に制限することを特徴とする請求項１０に記載の画像処理装置。
【請求項１２】
前記取得手段は、前記画像形成装置で解像度依存の処理を行う際の処理解像度を、前記データ処理の解像度として取得することを特徴とする請求項９に記載の画像処理装置。
【請求項１３】
印刷データを生成する画像処理装置とネットワークを介して接続され、前記印刷データからベクトルデータを生成してスプールすることが可能な画像形成装置における画像処理方法であって、
前記画像処理装置から、該画像処理装置で解像度依存の処理を行った際の解像度情報を含む前記印刷データを受信する受信工程と、
前記印刷データに含められた解像度情報を解析して、前記画像形成装置にて解像度依存の処理を行う際の処理解像度を決定する決定工程と、
前記ベクトルデータを生成する際に、解像度依存の処理が必要な場合に、前記決定工程で決定された処理解像度に基づいて解像度依存の処理を行う処理工程と
を有することを特徴とする画像処理方法。
【請求項１４】
印刷データからベクトルデータを生成してスプールすることが可能な画像形成装置に接続され、前記印刷データを生成する画像処理装置における画像処理方法であって、
前記画像処理装置において解像度依存の処理を行う際に用いる解像度を取得する取得工程と、
前記印刷データを生成する際に、解像度依存の処理が必要な場合に、前記取得された解像度に基づいて解像度依存の処理を行う処理工程と、
前記取得されたデータ処理解像度に関する解像度情報を前記印刷データに含める工程と、
前記解像度情報が含められた印刷データを前記画像形成装置に送信する送信工程と
を有することを特徴とする画像処理方法。
【請求項１５】
コンピュータに請求項１３または１４に記載の画像処理方法を実行させるためのコンピュータプログラム。
【手続補正２】
【補正対象書類名】明細書
【補正対象項目名】発明の名称
【補正方法】変更
【補正の内容】
【発明の名称】画像形成システム、画像形成装置、及び画像処理装置
【手続補正３】
【補正対象書類名】明細書
【補正対象項目名】００３１
【補正方法】変更
【補正の内容】
【００３１】
このような目的を達成するために、本発明は、印刷データを生成する画像処理装置と、該画像処理装置とネットワークを介して接続され、前記印刷データからベクトルデータを生成してスプールすることが可能な画像形成装置とを備える画像形成システムであって、前記画像処理装置は、前記画像処理装置において解像度依存の処理を行う際に用いる第１の解像度を取得する取得手段と、前記印刷データを生成する際に、解像度依存の処理が必要な場合に、前記取得された第１の解像度に基づいて解像度依存の処理を行う第１の処理手段と、前記取得された第１の解像度に関する解像度情報を前記印刷データに含める手段と、前記解像度情報が含められた印刷データを前記画像形成装置に送信する送信手段とを有し、前記画像形成装置は、前記送信手段から送信された印刷データを受信する受信手段と、前記印刷データに含められた解像度情報を解析して、前記画像形成装置にて解像度依存の処理を行う際の第２の解像度を決定する決定手段と、前記ベクトルデータを生成する際に、解像度依存の処理が必要な場合に、前記決定された第２の解像度に基づいて解像度依存の処理を行う第２の処理手段とを有することを特徴とする。
【手続補正４】
【補正対象書類名】明細書
【補正対象項目名】００３２
【補正方法】変更
【補正の内容】
【００３２】
また、本発明は、印刷データを生成する画像処理装置とネットワークを介して接続され、前記印刷データからベクトルデータを生成してスプールすることが可能な画像形成装置であって、前記画像処理装置から、該画像処理装置で解像度依存の処理を行った際の解像度情報を含む前記印刷データを受信する受信手段と、前記印刷データに含められた解像度情報を解析して、前記画像形成装置にて解像度依存の処理を行う際の処理解像度を決定する決定手段と、前記ベクトルデータを生成する際に、解像度依存の処理が必要な場合に、前記決定手段で決定された処理解像度に基づいて解像度依存の処理を行う処理手段とを備えることを特徴とする。
【手続補正５】
【補正対象書類名】明細書
【補正対象項目名】００３３
【補正方法】変更
【補正の内容】
【００３３】
また、本発明は、印刷データからベクトルデータを生成してスプールすることが可能な画像形成装置に接続され、前記印刷データを生成する画像処理装置であって、前記画像処理装置において解像度依存の処理を行う際に用いる解像度を取得する取得手段と、前記印刷データを生成する際に、解像度依存の処理が必要な場合に、前記取得された解像度に基づいて解像度依存の処理を行う処理手段と、前記取得されたデータ処理解像度に関する解像度情報を前記印刷データに含める手段と、前記解像度情報が含められた印刷データを前記画像形成装置に送信する送信手段とを備えることを特徴とする。
【手続補正６】
【補正対象書類名】明細書
【補正対象項目名】００３４
【補正方法】削除
【補正の内容】
【手続補正７】
【補正対象書類名】明細書
【補正対象項目名】００３５
【補正方法】変更
【補正の内容】
【００３５】
また、本発明は、印刷データを生成する画像処理装置とネットワークを介して接続され、前記印刷データからベクトルデータを生成してスプールすることが可能な画像形成装置における画像処理方法であって、前記画像処理装置から、該画像処理装置で解像度依存の処理を行った際の解像度情報を含む前記印刷データを受信する受信工程と、前記印刷データに含められた解像度情報を解析して、前記画像形成装置にて解像度依存の処理を行う際の処理解像度を決定する決定工程と、前記ベクトルデータを生成する際に、解像度依存の処理が必要な場合に、前記決定工程で決定された処理解像度に基づいて解像度依存の処理を行う処理工程とを有することを特徴とする。
【手続補正８】
【補正対象書類名】明細書
【補正対象項目名】００３６
【補正方法】変更
【補正の内容】
【００３６】
また、本発明は、印刷データからベクトルデータを生成してスプールすることが可能な画像形成装置に接続され、前記印刷データを生成する画像処理装置における画像処理方法であって、前記画像処理装置において解像度依存の処理を行う際に用いる解像度を取得する取得工程と、前記印刷データを生成する際に、解像度依存の処理が必要な場合に、前記取得された解像度に基づいて解像度依存の処理を行う処理工程と、前記取得されたデータ処理解像度に関する解像度情報を前記印刷データに含める工程と、前記解像度情報が含められた印刷データを前記画像形成装置に送信する送信工程とを有することを特徴とする。